(57)【要約】【課題】スクリーンセーバーの表示中は元入力画像の内容が全く分からない。【解決手段】表示制御装置を、（ａ）元入力画像に対応する画像データを対応するデータ線に供給するデータ線駆動部と、（ｂ）画像データの書き込みタイミングを与える書込信号をゲート線に供給するゲート線駆動部と、（ｃ）ゲート線のうち一部のゲート線に対する書込信号の供給を間引く間引き処理部と、（ｄ）各ゲート線に対する書込信号の間引き時間が画面全体で同じになるように、書込信号の間引き位置を周期的に切替制御する間引き位置制御部とで構成する。【選択図】図１
2007333997.tif 000002
【特許請求の範囲】
【請求項１】
元入力画像を空間的に間引いた画像であって、各表示領域の間引き時間が画面全体で均等になるように間引き位置が周期的に切替制御される画像を画面上に表示する
ことを特徴とする表示制御装置。
【請求項２】
元入力画像に対応する画像データを対応するデータ線に供給するデータ線駆動部と、
前記画像データの書き込みタイミングを与える書込信号をゲート線に供給するゲート線駆動部と、
前記ゲート線のうち一部のゲート線に対する書込信号の供給を間引く間引き処理部と、
各ゲート線に対する書込信号の間引き時間が画面全体で同じになるように、前記書込信号の間引き位置を周期的に切替制御する間引き位置制御部と
を有することを特徴とする表示制御装置。
【請求項３】
請求項２の記載の表示制御装置において、
前記間引き処理部は、ｎ（ｎは自然数）ライン間隔で前記書込信号の供給を間引く
ことを特徴とする表示制御装置。
【請求項４】
請求項２の記載の表示制御装置において、
前記間引き位置制御部は、前記書込信号の間引き位置を一定間隔で変更するように制御する
ことを特徴とする表示制御装置。
【請求項５】
画像データを対応するデータ線に供給するデータ線駆動部と、
各ゲート線に書込信号を供給するゲート線駆動部と、
元入力画像を空間的に間引いた画像に焼き付き低減画像を合成し、前記画像データとして出力する間引き画像生成部と、
各表示領域の間引き時間が画面全体で同じになるように、前記元入力画像の間引き位置を周期的に切替制御する間引き位置制御部と
を有することを特徴とする表示制御装置。
【請求項６】
請求項５に記載の表示制御装置において、
前記焼き付き低減画像は、対応する前記元画像データに対して発光輝度値を低減した画像である
ことを特徴とする表示制御装置。
【請求項７】
請求項５に記載の表示制御装置において、
前記焼き付き低減画像は、元画像データの平均ピクチャレベルよりも小さい平均ピクチャレベルに設定した画像である
ことを特徴とする表示制御装置。
【請求項８】
表示デバイスと、
元入力画像を空間的に間引いた画像であって、各表示領域の間引き時間が画面全体で均等になるように間引き位置が周期的に切替制御される画像を画面上に表示する表示制御部と
を有することを特徴とする表示装置。
【請求項９】
表示デバイスと、
元入力画像を空間的に間引いた画像であって、各表示領域の間引き時間が画面全体で均等になるように間引き位置が周期的に切替制御される画像を画面上に表示する表示制御部と
を有することを特徴とする端末装置。
【請求項１０】
元入力画像を空間的に間引いた画像であって、各表示領域の間引き時間が画面全体で均等になるように間引き位置が周期的に切替制御される画像を画面上に表示する
ことを特徴とする表示制御方法。
【請求項１１】
画像信号を処理するコンピュータに、
元入力画像を空間的に間引いた画像であって、各表示領域の間引き時間が画面全体で均等になるように間引き位置が周期的に切替制御される画像を画面上に表示する処理を実行させる
ことを特徴とするコンピュータプログラム。
【発明の詳細な説明】
【技術分野】
【０００１】
この明細書で説明する発明は、画面の表示制御技術に関する。
なお、発明者らが提案する発明は、表示制御装置、表示装置、端末装置、表示制御方法及びコンピュータプログラムとしての側面を有する。
【背景技術】
【０００２】
自発光素子の発光特性は、その発光量と発光時間に比例して劣化することが知られている。すなわち、自発光素子に対して同じ駆動条件を印加したとしても、劣化の進行に伴って発光輝度が次第に低下することが知られている。なお、この輝度低下現象は不可逆現象であり、その回復現象は未だ確認されていない。
【０００３】
もっとも、自発光素子の発光特性が劣化しても、その発光特性の劣化が一様に進行する限り、表示装置としての使用において問題が生じることはない。
ところが実際には、使用状況や温度状況等が複雑に影響し、自発光素子の発光特性の劣化にばらつきが発生する。
【０００４】
特に、この発光特性のばらつきの差がある程度以上に拡大すると、同じ駆動条件で駆動される画素間の輝度差が画面上で視認されるようになる。この現象は焼き付き現象と呼ばれ、以前より様々な対策が検討されている。この種の対策の一つにスクリーンセーバーの表示がある。
【０００５】
【特許文献１】特開平６−１６７９５６号公報  この特許文献には、元入力画像とは全く異なる画面をスクリーンセーバーとして表示する機能が開示されている。
【発明の開示】
【発明が解決しようとする課題】
【０００６】
ところが、この場合、スクリーンセーバーの表示後は、元入力画像の内容が全く分からなくなる問題がある。すなわち、スクリーンセーバーの表示が停止されるまで、本来であれば表示画面に表示されているはずの元入力画像の内容が分からない問題がある。
【課題を解決するための手段】
【０００７】
そこで、発明者らは、元入力画像を空間的に間引いた画像であって、各表示領域の間引き時間が画面全体で均等になるように間引き位置が周期的に切替制御される画像を画面上に表示する技術を提案する。
この表示技術は、以下に示す２通りの手法により実現できる。
【０００８】
例えば（ａ）元入力画像に対応する画像データを対応するデータ線に供給するデータ線駆動部と、（ｂ）画像データの書き込みタイミングを与える書込信号をゲート線に供給するゲート線駆動部と、（ｃ）ゲート線のうち一部のゲート線に対する書込信号の供給を間引く間引き処理部と、（ｄ）各ゲート線に対する書込信号の間引き時間が画面全体で同じになるように、書込信号の間引き位置を周期的に切替制御する間引き位置制御部との組み合わせとして実現できる。
【０００９】
（Ｂ）技術２
また例えば（ａ）画像データを対応するデータ線に供給するデータ線駆動部と、（ｂ）各ゲート線に書込信号を供給するゲート線駆動部と、（ｃ）元入力画像を空間的に間引いた画像に焼き付き低減画像を合成し、画像データとして出力する間引き画像生成部と、（ｄ）各表示領域の間引き時間が画面全体で同じになるように、元入力画像の間引き位置を周期的に切替制御する間引き位置制御部との組み合わせとしても実現できる。
【発明の効果】
【００１０】
発明者らの提案する表示技術の採用により、焼き付き軽減画像の表示中も、元入力画像の内容を画面上で視認することが可能になる。
【発明を実施するための最良の形態】
【００１１】
以下、発明に係る焼き付き軽減技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１２】
（Ａ）形態例１
（Ａ−１）システム構成
図１に、発明者らが提案する表示装置１の機能構成例を示す。なお、図１は、発明に関連する機能部分のみを表している。従って、表示装置１に搭載される機能の一部は省略されている。例えば、元入力画像に対する各種の信号処理については省略して表している。
【００１３】
図１に示す機能構成において、表示装置１は、タイミング制御部３、データ線ドライバ５、ゲート線ドライバ７、有機ＥＬディスプレイパネル９、間引き処理部１１及び間引き位置制御部１３で構成される。
【００１４】
タイミング制御部３は、元入力画像信号に基づいて画面表示に必要なタイミング信号を発生する制御デバイスである。
データ線ドライバ５は、有機ＥＬディスプレイパネル９のデータ線を駆動する回路である。データ線ドライバ５は、表示画像データをアナログ電圧に変換し、データ線に供給する動作を実行する。データ線ドライバ５は、周知の駆動回路で構成する。
【００１５】
ゲート線ドライバ７は、有機ＥＬディスプレイパネル９のゲート線を線順次走査方式により駆動する回路である。このため、ゲート線ドライバ７は、ゲート線の書込信号（すなわち、書き込みパルス）をゲート線に供給する動作を実行する。ゲート線ドライバ７も、周知の駆動回路で構成する。
【００１６】
有機ＥＬディスプレイパネル９は、表示画素がマトリクス状に配置された表示デバイスである。表示画素は、有機ＥＬ素子と画素回路とで構成される。画素回路は、書込信号により選択されたタイミングでアナログ電圧値を書き込むと共に、書き込まれたアナログ電圧に応じた大きさの電流を有機ＥＬ素子に供給する。有機ＥＬ素子は、供給される電流に応じた明るさで発光する。
【００１７】
間引き処理部１１は、水平ライン内におけるアナログ電圧値の書き込み期間を制限するイネーブル信号の供給を１水平ライン（ゲート線に対応する。）飛ばしで間引く処理デバイスである。なお、イネーブル信号は、タイミング制御部３を通じて与えられる。また、間引き処理後のイネーブル信号は、ゲート線ドライバ７に出力される。
【００１８】
間引き位置制御部１３は、各ゲート線に対する書込信号の間引き時間が画面全体で同じになるように、イネーブル信号の間引きライン（位置）を周期的に切替制御する処理デバイスである。この例の場合、間引き位置制御部１３は、１フレーム単位で間引きライン（位置）の切替を指示する。結果的に、間引きライン（位置）が偶数ラインと奇数ラインの間で交互に切り替わるように動作する。
【００１９】
（Ａ−２）表示動作
以下、表示装置１で実行される動作内容を説明する。
まず、元入力画像信号が、タイミング制御部３に入力される。タイミング制御部３は、元入力画像信号に基づいて有機ＥＬディスプレイパネルの仕様に合わせたタイミング信号を発生する。このうち、データ線ドライバ５には、例えばドットクロックとスタートパルが与えられる。
【００２０】
データ線ドライバ５は、１ライン毎にディジタルとして与えられる元入力画像信号をアナログ値に変換し、タイミング信号に同期したタイミングで有機ＥＬディスプレイパネル９に出力する。
一方、ゲート線ドライバ７には、線順次駆動に必要なタイミング信号が与えられる。
【００２１】
ここでのタイミング信号は、基本的に１種類である。ただし、有機ＥＬ素子を駆動する薄膜トランジスタの特性バラつきを補正するために数種類のタイミング信号を発生することもある。もっとも、発明者らが提案する焼き付き軽減技術では、画素回路に対するアナログ値の書き込み動作に重点がある。従って、以下の説明では、書込信号に関連するタイミング信号だけを説明する。
【００２２】
書込信号は、図２（Ａ）〜（Ｃ）に示す３つのタイミング信号により生成する。因みに、図２（Ａ）は、スキャン周期を規定するクロック信号である。また、図２（Ｂ）は、垂直方向の一番上に位置するゲート線（１ライン）を基準位置とした書き込み開始タイミングを与えるスタートパルスである。図２（Ｃ）は、ゲート線１本分（１ライン分）の書込み時間を適正範囲に制限するイネーブル信号である。
【００２３】
ゲート線ドライバ７は、これら３つのタイミング信号を用いて書込信号を生成する。この形態例の場合、スタートパルス（図２（Ｂ））が「Ｈ」レベルの期間に、イネーブル信号（図２（Ｃ））の立ち上がりエッジが現れると、書込信号（図２（Ｄ））の立ち上がりエッジが生成される。また、スタートパルス（図２（Ｂ））が「Ｌ」レベルになった後にイネーブル信号（図２（Ｃ））の立ち下りが現れると、書込信号（図２（Ｄ））の立ち下がりエッジが生成される。
【００２４】
なお、スタートパルス（図２（Ｂ））は、クロック信号（図２（Ａ））の立ち上がりと立ち下りの両エッジをトリガとして動作するシフトレジスタにより順々に後段へとシフトされる。
ここで、シフトレジスタを構成する個々のシフト段は、垂直方向に配列された個々のゲート線（１水平ライン）に対応する。
【００２５】
従って、個々のシフト段には、対応するゲート線に対応するタイミングでスタートパルスが現れる。なお、ある１つのシフト段にスタートパルスが現れるのは、垂直期間内に１回である。結果的に、図２（Ｅ）及び（Ｆ）に示すように、各ゲート線に対応するタイミングで書込信号が出力される。
【００２６】
以上が書込信号の原則的な生成手順である。ただし、図１に示す表示装置１の場合、タイミング制御部３からゲート線ドライバ７には、クロック信号とスタートパルスの２つだけが直接的に供給され、イネーブル信号は間引き処理部１１を経由して供給される。
【００２７】
間引き処理部１１では、イネーブル信号の間引き処理による波形整形が行われる。図３に、間引き処理の一例を示す。図３の場合、間引き処理部１１は、入力されたイネーブル信号のパルス波形を１つ飛ばしで間引くように動作する。
【００２８】
図３（Ｃ）は、偶数番目のパルス波形が間引かれた場合の間引き済みイネーブル信号の波形を表している。従って、図１に示す表示装置１の場合には、図３（Ｃ）に示す波形の間引き処理済みイネーブル信号がゲート線ドライバ７に与えられる。
【００２９】
このため、ゲート線ドライバ７は、前述した書込信号の生成を図３（Ｃ）に示す間引き処理済みイネーブル信号を用いて実行することになる。イネーブル信号が１水平ライン分間引かれているので、図３（Ｄ）、（Ｅ）、（Ｆ）に示すように書込信号は１ライン飛ばしで出力される。
【００３０】
図３に示す書込信号が与えられた場合、奇数ラインの画素回路にのみアナログ値が書き込まれ、元入力画像のうち奇数番目の水平ラインだけに画像が表示される。
ところで、現在用いられている多くの有機ＥＬディスプレイパネル９には、輝度バラつきや輝度変動を補正する機能が画素回路上に設けられている。なお、輝度バラつき等は、有機ＥＬ素子の劣化、薄膜トランジスタの劣化、薄膜トランジスタと駆動特性のバラつき等が原因であると考えられている。
【００３１】
具体的には、書込信号によるアナログ値の書き込み前に、黒レベルを書き込む機能が一般に搭載されている。この機能があることで、書込信号が間引き処理された水平ラインでも（書込信号が供給されない偶数番目の水平ラインでも）、少なくとも黒画像が表示されることになる。
【００３２】
例えば図４に示す元入力画像が与えられる場合、画面上には図５に示す表示画像（すなわち、元入力画像と黒画像とが交互に現れる表示画像）が表示される。
【００３３】
もっとも、この画像表示が継続すると、元入力画像が表示される奇数ラインだけ輝度劣化が進行し、輝度劣化が進行しない偶数ラインとの間で焼き付き現象が知覚されてしまう。
そこで、元入力画像が表示される水平ラインと黒画像が表示される水平ラインを交互に入れ替える手法を採用する。
【００３４】
この手法の採用により、奇数番目の水平ラインの発光時間と偶数番目の水平ラインの発光時間がほぼ同じになる。なお、書込信号を書き込む水平ライン（発光ライン）と書込信号を間引く水平ライン（非発光ライン）との入れ替えをユーザーに違和感なく実行するには、基本的に長周期での入れ替えが望ましい。ただし、スクリーンセーバー画面の表示時間は基本的に短時間であることが多い。
【００３５】
このため、スクリーンセーバー画面の表示が短時間の場合でも、奇数番目の水平ラインと偶数番目の水平ラインの表示時間がほぼ同じになる条件を優先する場合には、比較的短時間の周期で奇数番目の水平ラインと偶数番目の水平ラインの発光状態を入れ替えるように制御する必要がある。
この入れ替え制御を実現するのが間引き位置制御部１３である。
【００３６】
間引き位置制御部１３は、事前に設定した切替周期に従って間引き処理部１１によるイネーブル信号の間引き位置の入れ替えを指示する。すなわち、間引き位置制御部１３は、間引き位置切替信号を出力する。
【００３７】
図６に、入力されるイネーブル信号のうち奇数番目のパルス波形を間引く場合の処理動作例を示す。図６（Ｃ）に、この場合における間引き処理済み後のイネーブル信号の波形例を示す。
【００３８】
この場合、図６（Ｄ）〜（Ｆ）に示すように、書込信号は画面の最上位置から偶数番目だけに出力される。
図７に、偶数ラインが発光ラインに制御され、奇数ラインが非発光ラインに制御される場合の表示画面例を示す。図５の場合とは、元入力画像を視認できるラインの位置が入れ替わっていることが分かる。
【００３９】
結果的に、画面上には図８（Ａ）に示す表示画面と図８（Ｂ）に示す表示画面が交互に出現する。因みに、図８（Ａ）は偶数ラインが発光ラインの場合の表示画面であり
、図８（Ｂ）は奇数ラインが発光ラインの場合の表示画面である。
【００４０】
（Ａ−３）効果
以上説明したように、この形態例の場合には、イネーブル信号の間引き処理と間引き位置の入れ替え処理と言った簡単な処理だけで、元入力画像の書込ライン（発光ライン）と非書込ライン（非発光ライン）の配置位置を制御することができる。
この制御の結果、スクリーンセーバーの表示中も、元入力画像の内容の一部の確認が可能となる。また、この制御は非常に簡易な回路構成で実現できるため、回路規模もほとんど増加しない。
【００４１】
また、表示画面を構成する全ラインは、発光期間と非発光期間が１又は複数フレーム毎に交互に切り替えられるため、表示時間に対して発光時間がほぼ半減することになる。
画面の使用時間に対して実発光時間が半減することは、自発光素子である有機ＥＬ素子の輝度劣化の進行が遅くなることを意味する。
【００４２】
図９に、使用時間に対する輝度低下の進行速度を示す特性曲線図を示す。図中、実線で示す曲線が、静止画像を形態例で説明した表示技術で表示する場合における有機ＥＬ素子の輝度劣化の進行速度である。一方、点線で示す曲線が、同じ静止画像を継続的に表示する場合における有機ＥＬ素子の輝度劣化の進行速度である。
【００４３】
図９に示すように、焼き付き現象が視認される輝度劣化点に到達する時間は、ｔ１からｔ２へとほぼ２倍に延びている。このように、形態例で説明した表示技術は、十分な焼き付き軽減効果を発揮することができる。
【００４４】
（Ｂ）形態例２
前述の形態例においては、イネーブル信号の間引き処理により、元入力画像と黒画像とが１水平ラインづつ交互に現れる画面を実現する場合について説明した。
しかし、同じ画面構成の画像は、画像処理を通じて生成することもできる。この形態例では、画像処理を用いる場合の表示制御技術について説明する。
【００４５】
図１０に、この制御手法に対応する表示装置２１の機能構成例を示す。なお、図１０には、図１との対応部分に同一符号を付して示す。
図１０に示す表示装置２１は、タイミング制御部３、データ線ドライバ５、ゲート線ドライバ７、有機ＥＬディスプレイパネル９、間引き画像生成部２３及び間引き位置制御部１３で構成される。
【００４６】
この形態例のうち、タイミング制御部３、データ線ドライバ５、ゲート線ドライバ７及び有機ＥＬディスプレイパネル９の部分は、既存の表示装置と同じパネル構成を使用する。すなわち、この形態例の場合、ゲート線ドライバ７は、全てのゲート線（水平ライン）について書込信号を供給する。
【００４７】
従って、この形態例の場合、元入力画像と黒画像とが１ラインづつ交互に現れる画面を間引き画像生成部２３が生成する。図１１に、間引き画像生成部２３の内部構成例を示す。間引き画像生成部２３は、１ライン単位で入力を切り替える選択部３１と黒データメモリ３３で構成される。
【００４８】
選択部３１には、元入力画像が入力される入力端子と黒データが入力される入力端子を交互に選択する機能と、間引き位置切替信号の入力により切替順序を反転する機能が搭載されているものとする。例えば入力端子の選択動作が逆位相の関係にある２種類のスイッチ又は選択信号を用意し、間引き位置切替信号により使用するスイッチや選択信号を切り替えることにより実現することができる。
【００４９】
（Ｂ−３）効果
以上説明したように、画像処理の段階で形態例１と同じ表示画像を形成する手法を用いても、元入力画像と黒画像が１水平ライン毎に交互に出現する画面であって、全ラインの発光時間が同じになるように元入力画像と黒画像の表示位置が周期的又は定期的に入れ替わる画面を表示させることができる。
【００５０】
（Ｃ）他の形態例
（Ｃ−１）両形態例で使用可能な他の表示画面例
前述の形態例においては、１水平ライン毎に元入力画像を間引き、当該間引き位置に黒画面を表示する画面構成の表示画像を画面表示し、同時に全ての水平ラインにおける発光時間が同じになるように周期的又は定期的に間引き位置を入れ替える場合について説明した。しかし、表示画面の画面構成は、これに限らない。
【００５１】
（ａ）例１
例えば、図１２に示すように、Ｎ（２以上の自然数）水平ライン単位で元入力画像を間引き表示する手法を採用しても良い。すなわち、連続するＮ本の水平ラインを一単位として元入力画像又は黒画像を表示する手法を採用しても良い。
この表示画面を形態例１で説明した仕組みで実現する場合、図１３（Ｃ）又は図１４（Ｃ）に示す２種類のイネーブル信号を発生すれば良い。
【００５２】
なお、図１３及び図１４は、水平ラインの２本単位で元入力画像と黒画像を交互に表示する場合のタイミング信号例である。
この場合、図１３（Ｄ）〜（Ｉ）と図１４（Ｄ）〜（Ｉ）が生成される書込信号を表している。
【００５３】
一方、この表示画面を形態例２で説明した仕組みで実現する場合、選択部３１に、Ｎ水平ライン毎に出力端子に接続する入力端子を切り替える機能を搭載すれば良い。この場合も、入力端子の選択動作が逆位相の関係にある２種類のスイッチ又は選択信号を用意し、間引き位置切替信号により使用するスイッチや選択信号を切り替えられるものを使用することで実現することができる。
【００５４】
（ｂ）例２
この他、間引き位置をＮ（３以上の自然数）水平ライン毎に設定し、間引き位置の切替時に間引き位置を１ラインづつシフトする手法を採用することもできる。この場合、Ｎ回のシフト動作で全ての水平ラインが間引き位置となる。すなわち、全表示領域の発光時間が同じになる。
【００５５】
図１５に、Ｎが「３」の場合における表示例を示す。図１５（Ａ）は、画面上から１番目、４番目、７番目…で元入力画像が間引かれ、代わりに黒画像が表示される画面例である。図１５（Ｂ）は、画面上から２番目、５番目、８番目…で元入力画像が間引かれ、代わりに黒画像が表示される画面例である。図１５（Ｃ）は、画面上から３番目、６番目、９番目…で元入力画像が間引かれ、代わりに黒画像が表示される画面例である。
【００５６】
この場合も、前述した形態例１で説明した仕組みや形態例２で説明した仕組みを適用することにより、必要な画像を画面上に表示することができる。
【００５７】
（Ｃ−２）形態例２で使用可能な他の表示画面例
前述の形態例２の場合には、１水平ライン毎に元入力画像と黒画像を交互に表示する場合について説明した。しかし、画像処理を用いる場合には、元入力画像の間引きパターンを自由に定めることができる。
【００５８】
（ａ）例１
例えば図１６に示すように、画面上に黒画像の縦縞が現れるように元入力画像を間引き表示させることもできる。
図１６（Ａ）は、左端から右方向に奇数画素位置に黒画像を表示し、左端から右方向に偶数画素位置に元入力画像を表示する例である。
【００５９】
一方、図１６（Ｂ）は、左端から右方向に奇数画素に元入力画像を表示し、左端から右方向に偶数画素位置に黒画像を表示する例である。
このような表示も、図１１に例示した構成の間引き画像生成部２３により実現できる。ただし、この場合、選択部３１はドットクロック単位で出力端子に接続する入力端子を切り替えることになる。
【００６０】
（ｂ）例２
例えば図１７に示すように、元入力画像と黒画像が市松模様のように配置される画面構成を採用することもできる。なお、図１７（Ａ）と図１７（Ｂ）は、市松模様を構成する元入力画像と黒画像の位置関係を入れ替えた関係にある。この２種類の画像を周期的に又は定期的に切り替えることにより、全領域を同じ発光時間で発光制御することが可能になる。勿論、スクリーンセーバーの表示中も元入力画像を間引き画像として確認することができる。
【００６１】
なお、この表示の場合、図１８に示す構成の間引き画像生成部２３を用いれば良い。この場合、パターン発生部３５に、図１７に示したパターンで供給部３１の切替動作を制御する切替パターン供給部３５を追加すれば良い。この例の場合、切替パターン供給部３５に、図１７（Ａ）及び（Ｂ）に対応する２種類のパターンを登録しておけば、各パターンに対応した画面表示を実現できる。
【００６２】
また、図１８に示す構成の間引き画像生成部２３を用いれば、間引き位置が排他的に設定された複数種類の表示画面を画面上に表示することもできる。
【００６３】
（Ｃ−３）間引き位置に表示する画像の変形例
前述した形態例では、いずれも焼き付き軽減効果を最大化するため、元入力画像の間引き位置に黒画像を表示する場合について説明した。すなわち、各画素に対応するＲ（赤）データ、Ｇ（緑）データ、Ｂ（青）データの階調値をいずれも０（ゼロ）に設定する場合について説明した。
【００６４】
しかし、焼き付き軽減効果は、必ずしも黒画像を出力しなくても実現することができる。すなわち、元入力画像をそのまま表示する場合に比して発光輝度が小さい画像であれば、黒画像ほどではないが焼き付き軽減効果を期待することができる。
【００６５】
なお、元入力画像に比して発光輝度の小さい画像であれば、その生成方法は任意である。以下では、比較的簡単な処理でありながら、元入力画像に比して発光輝度を確実に低減できる画像の生成手法を説明する。
【００６６】
（ａ）例１
ここでは、元入力画像の発光輝度値を一様に低下した画像データを生成する手法について説明する。
図１９に、この生成手法に対応した間引き画像生成部２３の構成例を示す。図１９に示す間引き画像生成部２３は、選択部３１、切替パターン供給部３５及び輝度低下部３７で構成する。このうち、新規な構成は、輝度低下部３７である。
【００６７】
輝度低下部３７は、元入力画像の輝度値を一様に低下させた画像データを生成する処理デバイスである。この輝度低下部３７は、ＲＧＢ形式の画像データを輝度データと色差データの形式に変換するデータ形式変換部と、輝度データ値を予め定めた一定の比率で低減する輝度データ変換部と、変換後の輝度データと色差データをＲＧＢ形式の画像データに変換するデータ形式変換部とで実現することができる。
勿論、同機能に対応する入出力関係を記憶した変換テーブルを用いることもできる。
【００６８】
（ｂ）例２
ここでは、元入力画像を減色した画像データを生成する手法について説明する。
図２０に、この生成手法に対応した間引き画像生成部２３の構成例を示す。図２０に示す間引き画像生成部２３は、選択部３１、切替パターン供給部３５及び減色部３９で構成する。このうち、新規な構成は、減色部３９である。
【００６９】
減色部３９は、元入力画像の輝度値を一様に低下させた画像データを生成する処理デバイスである。この減色部３９は、事前に定めた色成分の画像データだけを出力し、他の２つの色成分の画像データは黒データ（０データ）に置換する処理デバイスである。この変換処理により、発光する有機ＥＬ素子の数は確実に１／３となる。従って、発光輝度が低下する。なお、ここでの減色処理は、１色分の画像データだけを残す方法に限らず、２色分の画像データだけを残す（すなわち、１色分の画像データは除く）方法でも良い。
【００７０】
（ｃ）例３
ここでは、元画像データの平均ピクチャレベルよりも小さい平均ピクチャレベルの画像データを生成する手法について説明する。
図２１に、この生成手法に対応した間引き画像生成部２３の構成例を示す。図２１に示す間引き画像生成部２３は、選択部３１、切替パターン供給部３５、ＡＰＬ算出部４１及び置換データ決定部４３で構成する。
【００７１】
このうち新規な構成は、ＡＰＬ算出部４１と置換データ決定部４３である。
ＡＰＬ算出部４１は、間引き位置に対応する元入力画像の平均ピクチャレベルを算出する処理デバイスである。
【００７２】
このＡＰＬ算出部４１は、ＲＧＢ形式の画像データを輝度データと色差データのデータ形式に変換するデータ変換部と、間引き位置に対応する輝度データの平均値を算出する演算部とで実現することができる。
【００７３】
置換データ決定部４３は、算出された平均ピクチャレベルよりも小さい平均ピクチャレベルを有する置換画像データを決定する処理デバイスである。この置換データ決定部４３は、決定されたピクチャレベルよりも小さいピクチャレベルに基づいて、ＲＧＢ形式の画像データを生成する処理回路により実現する。
【００７４】
（Ｃ−４）元入力画像の例
前述の形態例の場合、元入力画像はスクリーンセーバーの表示直前まで表示されていた入力画像の意味で用いたが、この元入力画像には既に表示が開始されているスクリーンセーバー画面を含めることもできる。
【００７５】
（Ｃ−５）端末装置
前述した表示制御技術（装置）は、表示装置内に搭載する場合だけでなく、表示デバイスを搭載する各種の端末装置に搭載することができる。なお、端末装置は、可搬型であるか据え置き型かを問わない。
【００７６】
（ａ）放送波受信装置
図２２は、携帯型の放送波受信装置に適用する場合の機能構成例である。放送波受信装置１０１は、表示パネル１０３、システム制御部１０５、操作部１０７、記憶媒体１０９及びチューナー１１１を主要な構成デバイスとする。
【００７７】
なお、システム制御部１０５は、例えばマイクロプロセッサで構成される。システム制御部２０５は、システム全体の動作を制御する。操作部１０７は、機械式の操作子の他、グラフィックユーザーインターフェースも含む。
【００７８】
記憶媒体１０９は、表示パネル１０３に表示する画像や映像に対応するデータの他、ファームウェアやアプリケーションプログラムの格納領域として用いられる。チューナー１１１は、到来する放送波の中からユーザーの選局した特定チャネルの放送波を選択的に受信する無線装置である。
この放送波受信装置の構成は、例えばテレビジョン番組受信機、ラジオ番組受信機に適用する場合に用いることができる。
【００７９】
（ｂ）オーディオ装置
図２３は、再生機としてのオーディオ装置に適用する場合の機能構成例である。
再生機としてのオーディオ装置２０１は、表示パネル２０３、システム制御部２０５、操作部２０７、記憶媒体２０９、オーディオ処理部２１１及びスピーカー２１３を主要な構成デバイスとする。
【００８０】
この場合も、システム制御部２０５は、例えばマイクロプロセッサで構成される。システム制御部２０５は、システム全体の動作を制御する。操作部２０７は、機械式の操作子の他、グラフィックユーザーインターフェースも含む。
【００８１】
記憶媒体２０９は、オーディオデータの他、ファームウェアやアプリケーションプログラムの格納領域である。オーディオ処理部２１１は、オーディオデータを信号処理する処理デバイスである。圧縮符号化されたオーディオデータの解凍処理も実行される。スピーカー２１３は、再生された音を出力するデバイスである。
【００８２】
なお、オーディオ装置２０１を記録機として用いる場合、スピーカー２１３に替えてマイクロフォンを接続する。この場合、オーディオ処理部２１１は、オーディオデータを圧縮符号化する機能を実現する。
【００８３】
（ｃ）通信装置
図２４は、通信装置に適用する場合の機能構成例である。通信装置３０１は、表示パネル３０３、システム制御部３０５、操作部３０７、記憶媒体３０９及び無線通信部３１１を主要な構成デバイスとする。
【００８４】
なお、システム制御部３０５は、例えばマイクロプロセッサで構成される。システム制御部３０５は、システム全体の動作を制御する。操作部３０７は、機械式の操作子の他、グラフィックユーザーインターフェースも含む。
【００８５】
記憶媒体３０９は、表示パネル３０３に表示する画像や映像に対応するデータファイルの他、ファームウェアやアプリケーションプログラムの格納領域として用いられる。無線通信部３１１は、他機との間でデータを送受信する無線装置である。
この通信装置の構成は、例えば据え置き型の電話機や携帯電話機に適用する場合に用いることができる。
【００８６】
（ｄ）撮像装置
図２５は、撮像装置に適用する場合の機能構成例である。撮像装置４０１は、表示パネル４０３、システム制御部４０５、操作部４０７、記憶媒体４０９及び撮像部４１１を主要な構成デバイスとする。
【００８７】
なお、システム制御部４０５は、例えばマイクロプロセッサで構成される。システム制御部４０５は、システム全体の動作を制御する。操作部４０７は、機械式の操作子の他、グラフィックユーザーインターフェースも含む。
【００８８】
記憶媒体４０９は、表示パネル４０３に表示する画像や映像に対応するデータファイルの他、ファームウェアやアプリケーションプログラムの格納領域として用いられる。撮像部４１１は、例えばＣＭＯＳセンサーとその出力信号を処理する信号処理部で構成する。
この撮像装置の構成は、例えばデジタルカメラ、ビデオカメラ等に適用する場合に用いることができる。
【００８９】
（ｅ）情報処理装置
図２６は、携帯型の情報処理装置に適用する場合の機能構成例である。情報処理装置５０１は、表示パネル５０３、システム制御部５０５、操作部５０７及び記憶媒体５０９を主要な構成デバイスとする。
【００９０】
なお、システム制御部５０５は、例えばマイクロプロセッサで構成される。システム制御部５０５は、システム全体の動作を制御する。操作部５０７は、機械式の操作子の他、グラフィックユーザーインターフェースも含む。
【００９１】
記憶媒体５０９は、表示パネル５０３に表示する画像や映像に対応するデータファイルの他、ファームウェアやアプリケーションプログラムの格納領域として用いられる。
この情報処理装置の構成は、例えばゲーム機、電子ブック、電子辞書、コンピュータ等に適用する場合に用いることができる。
【００９２】
（Ｃ−６）表示装置
前述の形態例の場合、有機ＥＬディスプレイパネルを例に説明した。しかし、この表示制御技術は、その他の自発光表示装置に広く適用できる。例えば無機ＥＬディスプレイパネル、ＦＥＤディスプレイパネル、ＰＤＰディスプレイパネルその他にも適用できる。
また、焼き付き軽減効果は期待できないが、画面表示の一形態として非自発光表示装置にも応用できる。例えば液晶ディスプレイパネルにも適用できる。
【００９３】
（Ｃ−７）コンピュータプログラム
前述の形態例で説明した制御方法は、処理機能の全てをハードウェア又はソフトウェアで実現するだけでなく、ハードウェアとソフトウェアの機能分担により実現することもできる。
（Ｃ−８）その他
前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００９４】
【図１】表示装置の機能構成例を示す図である。
【図２】タイミング信号と書込信号の対応関係を示す図である。
【図３】イネーブル信号の間引き処理を説明する図である。
【図４】元入力画像例を示す図である。
【図５】間引き画像の表示例を示す図である。
【図６】イネーブル信号の間引き位置の入れ替え例を示す図である。
【図７】間引き画像の表示例を示す図である。
【図８】間引き画像の切替動作例を示す図である。
【図９】焼き付き低減効果を説明する図である。
【図１０】表示装置の他の機能構成例を示す図である。
【図１１】間引き画像生成部の機能構成例を示す図である。
【図１２】他の間引き画像例を示す図である。
【図１３】イネーブル信号の間引き例を示す図である。
【図１４】イネーブル信号の間引き例を示す図である。
【図１５】他の間引き画像例を示す図である。
【図１６】他の間引き画像例を示す図である。
【図１７】他の間引き画像例を示す図である。
【図１８】間引き画像生成部の他の機能構成例を示す図である。
【図１９】間引き画像生成部の他の機能構成例を示す図である。
【図２０】間引き画像生成部の他の機能構成例を示す図である。
【図２１】間引き画像生成部の他の機能構成例を示す図である。
【図２２】バッテリー駆動機器の機能構成例を示す図である。
【図２３】バッテリー駆動機器の機能構成例を示す図である。
【図２４】バッテリー駆動機器の機能構成例を示す図である。
【図２５】バッテリー駆動機器の機能構成例を示す図である。
【図２６】バッテリー駆動機器の機能構成例を示す図である。
【符号の説明】
【００９５】
３        タイミング制御部
７        データ線ドライバ
１１      間引き処理部
１３      間引き位置制御部
２３      間引き画像生成部
３１      選択部
３３      黒データメモリ
３５      切替パターン供給部
３７      輝度低下部
３９      減色部
４１      ＡＰＬ算出部
４３      置換データ決定部
【図１】
2007333997.tif 000003
【図２】
2007333997.tif 000004
【図３】
2007333997.tif 000005
【図４】
2007333997.tif 000006
【図５】
2007333997.tif 000007
【図６】
2007333997.tif 000008
【図７】
2007333997.tif 000009
【図８】
2007333997.tif 000010
【図９】
2007333997.tif 000011
【図１０】
2007333997.tif 000012
【図１１】
2007333997.tif 000013
【図１２】
2007333997.tif 000014
【図１３】
2007333997.tif 000015
【図１４】
2007333997.tif 000016
【図１５】
2007333997.tif 000017
【図１６】
2007333997.tif 000018
【図１７】
2007333997.tif 000019
【図１８】
2007333997.tif 000020
【図１９】
2007333997.tif 000021
【図２０】
2007333997.tif 000022
【図２１】
2007333997.tif 000023
【図２２】
2007333997.tif 000024
【図２３】
2007333997.tif 000025
【図２４】
2007333997.tif 000026
【図２５】
2007333997.tif 000027
【図２６】
2007333997.tif 000028